(57)【要約】ワイヤレス通信システムは、赤外線信号を送信するゲスト送信器を有する少なくとも１つのゲスト及びゲストにより送信される赤外線信号を受信するホスト受信器を有するホストを有し、ゲスト及びホストは共に内部ＲＳ−２３２ポートを有する。ゲストはデータを発生するデータ発生器及びデータを変調し変調データをゲスト送信器へ転送する変調器を有する。ホストはホスト受信器により受信されるＩＲ信号を復調する復調器を有する。ゲストは、送信される信号中の連続スペースの最大数を減らすよう、標準ＲＳ−２３２でデータ発生器により発生されたデータを符号化する復号化機能を有する。ホストの復調器は、変調されたＩＲ信号を復調するようホスト受信器及びホストの内部ＲＳ−２３２ポートに接続され、ホスト内部ＲＳ−２３２ポートに接続された主プロセッサに接続される。ホストの主プロセッサの復号化機能はルックアップテーブルを用いて復号化を行う。本発明の重要な利点は、更なるマイクロプロセッサの必要性がない点である。
2005504485.tif 000002
【特許請求の範囲】
【請求項１】
赤外線信号を送信するゲスト送信器を有する少なくとも１つのゲストと、前記ゲストによって送信される赤外線信号を受信するホスト受信器を有するホストとを有し、前記ゲスト及び前記ホストはいずれも内部ＲＳ−２３２ポートを有し、前記ゲストは、データを発生するデータ発生器と、前記データを変調し前記変調されたデータを前記ゲスト送信器へ転送する変調器とを有し、前記ホストは、前記ホスト受信器によって受信されるＩＲ信号を復調する復調器を有する、ワイヤレス通信システムであって、
前記ゲストは、標準ＲＳ−２３２でデータ発生器によって発生されたデータを、符号化されていないデータと比較した場合に文字当たりのデータビット数が増やされ連続するスペースの最大数が減らされた符号へ符号化し、前記符号化されたデータを前記内部ゲストＲＳ−２３２ポートへ送信する符号化機能を有し、前記変調器は前記ゲストＲＳ−２３２ポート及びゲスト送信器に接続され、前記ホストは、前記ホスト受信器及び前記ホストの内部ＲＳ−２３２ポートに接続され前記変調されたＩＲ信号を復調する復調器と、前記ホスト内部ＲＳ−２３２ポートに接続された主プロセッサとを有し、前記ホストは、前記ホストの内部ＲＳ−２３２ポートを通じて受信された復調されたデータを復号化する復号化機能を有することを特徴とする、ワイヤレス通信システム。
【請求項２】
前記符号化機能は、連続するスペースの最大数が連続するスペースの最小数に等しいよう前記データを符号化することを特徴とする、請求項１又は２記載のワイヤレス通信システム。
【請求項３】
前記符号化機能は、連続するマークの最大数が減らされるよう前記データを符号化することを特徴とする、請求項１記載のワイヤレス通信システム。
【請求項４】
赤外線信号を送信するゲスト送信器を有する少なくとも１つのゲストと、前記ゲストによって送信される赤外線信号を受信するホスト受信器を有するホストとを有し、前記ゲスト及び前記ホストはいずれも内部ＲＳ−２３２ポートを有し、前記ゲストは、データを発生するデータ発生器と、前記データを変調し前記変調されたデータを前記ゲスト送信器へ転送する変調器とを有し、前記ホストは、前記ホスト受信器によって受信されるＩＲ信号を復調する復調器を有する、ワイヤレス通信システムであって、
前記ゲストは、標準ＲＳ−２３２でデータ発生器によって発生されたデータを、符号化されていないデータと比較した場合に文字当たりのデータビット数が増やされ連続するスペースの最大数が減らされた符号へ符号化し、前記符号化されたデータを前記内部ゲストＲＳ−２３２ポートへ送信する符号化機能を有し、前記変調器は前記ゲストＲＳ−２３２ポート及び前記ゲスト送信器に接続され、前記ゲスト送信器は、マークをスペースへ、スペースをマークへ反転させるインバータを有し、前記ホストは、前記ホスト受信器及び前記ホストの内部ＲＳ−２３２ポートに接続され前記変調されたＩＲ信号を復調する復調器と、前記ホスト内部ＲＳ−２３２ポートに接続された主プロセッサとを有し、前記ホストは、前記ホストの内部ＲＳ−２３２ポートを通じて受信された復調されたデータを復号化する復号化機能を有することを特徴とする、ワイヤレス通信システム。
【請求項５】
前記ホスト受信器は、マークをスペースへ、スペースをマークへ反転させるインバータを有することを特徴とする、請求項５記載のワイヤレス通信システム。
【請求項６】
前記主プロセッサは、前記復号化機能を有することを特徴とする、請求項１又は２記載のワイヤレス通信システム。
【請求項７】
前記ホストは、前記主プロセッサとは別個の復号化用のマイクロプロセッサを有さないことを特徴とする、請求項６記載のワイヤレス通信システム。
【請求項８】
前記符号化機能は、連続するマークの最大数が連続するマークの最小数に等しいよう前記データを符号化することを特徴とする、請求項４記載のワイヤレス通信システム。
【請求項９】
前記符号化／復号化は、符号化／復号化ルックアップテーブルを用いて行われることを特徴とする、請求項１又は４記載のワイヤレス通信システム。
【請求項１０】
前記ホスト受信器は、前記復調された出力信号をパルス整形する適応スライス基準回路を有することを特徴とする、請求項１又は４項記載のワイヤレス通信システム。
【請求項１１】
前記ホスト受信器はＡＧＣ回路を有することを特徴とする、請求項１又は４項記載のワイヤレス通信システム。
【請求項１２】
赤外線信号を送信するゲスト送信器を有する少なくとも１つのゲストと、前記ゲストによって送信される赤外線信号を受信するホスト受信器を有するホストとを有し、前記ゲスト及び前記ホストはいずれも内部ＲＳ−２３２ポートを有するワイヤレス通信システムで、
データは前記ゲスト内で発生及び変調され、
前記変調されたデータは前記ゲスト送信器へ転送され、
前記変調されたデータは前記ホスト内で復調される、
前記ワイヤレス通信システムにおいてデータを転送する方法であって、
前記ゲスト内で、前記データは、文字当たりのデータビット数が増やされ連続するスペースの最大数が減らされた符号へ符号化され、その後、
前記符号化されたデータは前記内部ゲストＲＳ−２３２ポートへ送信され、前記符号化されたデータは変調及び送信され、前記送信されたデータは前記ホストの内部ＲＳ−２３２ポートへ転送される前に復調され、その後、前記符号化されたデータは前記ホスト内で復号化されること、又は、
前記ゲスト内で、前記データは、符号化されていないデータと比較した場合に文字当たりのデータビット数が増やされ連続するマークの最大数が減らされた符号へ符号化され、その後、
前記符号化されたデータは前記内部ゲストＲＳ−２３２ポートへ送信され、前記符号化されたデータは変調、反転及び送信され、前記送信されたデータは前記ホストの内部ＲＳ−２３２ポートへ転送される前に復調され、その後、前記符号化されたデータは前記ホスト内で復号化されること、を特徴とする方法。
【請求項１３】
前記符号化されたデータは、前記主プロセッサ内で復号化機能によって復号化されることを特徴とする、請求項１２記載のワイヤレス通信システム中でデータを転送する方法。
【発明の詳細な説明】
【技術分野】
【０００１】
本発明は、赤外線信号を送信するゲスト送信器を有する少なくとも１つのゲストと、ゲストによって送信される赤外線信号を受信するホスト受信器を有するホストとを有し、ゲスト及びホストはいずれも内部ＲＳ−２３２ポートを有し、ゲストは、データを発生するデータ発生器と、データを変調し変調されたデータをゲスト送信器へ転送する変調器とを有し、ホストは、ホスト受信器によって受信されるＩＲ信号を復調する復調器と、受信された信号を解釈するデータインタプリタを有する、ワイヤレス通信システムに関する。
【背景技術】
【０００２】
このようなワイヤレス通信システムは知られている。かかるシステムでは、通常は移動局（例えば遠隔制御装置）であるゲストは、ホスト（例えばセットトップボックス）と通信する。このようなシステムの例は、Ｓｅｊｉｎ  ＷＥＢ−ＴＶシステムである。公知のシステムにおけるデータは、ＮＲＺ（非ゼロ復帰）形式で転送される。ワイヤレスＲＳ−２３２データリンクは、送信器及び受信器をホストのシリアルＲＳ−２３２ポートに直接接続することによって確立される。
【０００３】
ゲストの内部で発生されホストの内部で処理される情報は、通常はＮＲＺ（非ゼロ復帰）信号の形であり、即ち１と０（ゼロ）のシーケンスである。ＮＲＺデータは、矩形パルスのシーケンスであると理解することができる。公知の装置では、全てのデータは、ＲＳ−２３２標準データ形式に従う。標準ＲＳ−２３２データ形式では、信号は８つのデータビット、１つのスタートビット、及び、１つ又は２つのストップビットのシーケンスから構成され、従って各文字は全部で１０個又は１１個のビットを有し、各ビットはゼロ（スペースとも称する）又は１（マークとも称する）のいずれかである。
【０００４】
ワイヤレス伝送路変調を通じてホストとゲストの間で直接リンクを確立するための標準ＲＳ−２３２データ形式中の信号は、このデータをゲストからホストへ転送するために変調（復調）されうる。しかしながら、この変調されたデータを送信及び受信するときに、以下の問題のうちの１つ又はそれ以上が生じうる。
・ノイズ及び干渉に対する影響の受け易さ
・データビット誤り
・キャリアベースのＩＲ受信器上のＡＧＣ同調による感度の低下
・赤外線送信器段における高い電力消費。
【発明の開示】
【発明が解決しようとする課題】
【０００５】
本発明は、上述の問題のうちの１つ又はそれ以上が解決及び／又は軽減されるが、特にホストにおける更なるマイクロプロセッサユニットに対する必要性を限定するワイヤレス通信システムを提供することを目的とする。
【課題を解決するための手段】
【０００６】
このために、本発明によるワイヤレス通信システムの第１の実施例は、ゲストは、標準ＲＳ−２３２でデータ発生器によって発生されたデータを、文字当たりのデータビット数が増やされ連続するスペースの最大数が減らされた符号へ符号化し、符号化されたデータを内部ゲストＲＳ−２３２ポートへ送信する符号化機能を有し、変調器はゲストＲＳ−２３２ポート及びゲスト送信器に接続され、復調器は、変調されたＩＲ信号を復調するようホスト受信器及びホストの内部ＲＳ−２３２ポートに接続され、主プロセッサはホスト内部ＲＳ−２３２ポートに接続されることを特徴とする。
【０００７】
本発明によるワイヤレス通信システムの第２の実施例は、ゲストは、標準ＲＳ−２３２でデータ発生器によって発生されたデータを、文字当たりのデータビット数が増やされ連続するスペースの最大数が減らされた符号へ符号化し、符号化されたデータを内部ゲストＲＳ−２３２ポートへ送信する符号化機能を有し、変調器はゲストＲＳ−２３２ポート及びゲスト送信器に接続され、復調器は、変調されたＩＲ信号を復調するようホスト受信器及びホストの内部ＲＳ−２３２ポートに接続され、主プロセッサはホスト内部ＲＳ−２３２ポートに接続され、ゲスト送信器はマークをスペースへ、スペースをマークへ反転させるインバータを有することを特徴とする。
【０００８】
標準ＲＳ−２３２コードを、より多くの数のビットを有し、より少ない数の最大連続スペースを有するコードへ変換することは（第１の実施例）、上述の問題のうちの幾つかを軽減することを可能とする。第２の実施例では、連続するマークの最大数は減らされるが、スペースをマークに反転させマークをスペースに反転させるインバータにより、この実施例は、送信信号中で連続するスペースの最大数が減らされる点では第１の実施例と同様である。特に（以下説明するように）、送信器と受信器の間で伝送される信号中の連続するスペースの最大数が減らされることにより、帯域幅の減少が可能であり、ノイズと妨害に対する影響の受け易さが低下され、最大と最小のパルス持続時間の比率が減少されえ、これにより受信器においてデータスライシング回路が用いられたときのビット誤りを減少させることができる。
【０００９】
本発明によるシステムでは、データの符号化は、符号化されたデータをゲストの内部ＲＳ−２３２ポートへ送信する符号化器（例えばマイクロプロセッサ又は符号化回路）又はゲスト内の符号化ソフトウエア機能でありうる符号化機能によって行われ、ゲストの内部ＲＳ−２３２ポートは、符号化されたデータを、信号を変調し送信するＩＲ送信器へ転送する。送信器は、第２の実施例のように、マークをスペースへ、スペースをマークへ反転するインバータを有しうる。内部ＲＳ−２３２ポートを通じて送られため、ビットのタイミングは標準ＲＳ−２３２形式におけるものと同様である。符号化された信号は、変調され、ホストの受信器へ送信され、受信された信号はホスト内で復調される。復調されているがまだ符号化されている信号は、次に、ホストのＲＳ−２３２ＵＡＲＴを通じて直接送信されうる（ビットのタイミングは標準ＲＳ−２３２形式におけるものと同様だからである）。このようなＲＳ−２３２ＵＡＲＴは、多くのプロセッサのコモディティ（ｃｏｍｍｏｄｉｔｙ）インタフェースである。ＲＳ−２３２ＵＡＲＴを通じて転送される信号は、次に、別個のマイクロプロセッサユニットを必要とすることなく、主プロセッサの復号化機能で復号化されうる。公知のシステムでは、更なるマイクロプロセッサユニットを必要とするＲＳ−２３２タイミング独立符号化機能がしばしば用いられる。ビットのタイミングを標準ＲＳ−２３２形式から変化させる符号化及び復号化スキームは、信号を復号化しこれらを主プロセッサのＲＳ−２３２ＵＡＲＴによって処理されうる信号へ変換するよう、ホストの受信器／復調器とＲＳ−２３２ＵＡＲＴの間にホスト中にマイクロコントローラを必要とする。このような追加的なマイクロプロセッサは、システムの費用をかなり増加させる。本発明によるシステム及び方法では、復号化は、ホストのＲＳ−２３２ＵＡＲＴの後ろで行われ、追加的なマイクロプロセッサに対する必要性をなくす。本発明のように連続するマーク又はスペースの最大数を減少させない符号化及び復号化スキームは、上述の問題の減少を生じさせないか僅かに生じさせるのみである。
【００１０】
符号化されたデータ中の文字当たりのビット数の増加はそれ自体として、送信／受信部のみが考えられているときは、データ転送の最大速度（総データレート）を低下させることに注意すべきである。しかしながら、全有効最大データ転送速度（純データレート）は、ＲＳ−２３２ＵＡＲＴの前に別個のマイクロプロセッサを使用することを必要とする符号化を行うシステムと比較して、減少されず、別個のマイクロコントローラが必要とされないことにより、おおむね同等であるか、増加したものである。かかるマイクロプロセッサは、本質的には、システムを全体としてみたときに転送速度をかなり低下させる。
【００１１】
望ましい実施例では、符号化回路は、連続するスペースの最大数が連続するスペース又はマークの最小数と等しいよう、データを符号化する。このような符号化／復号化スキームは、上述の問題をかなり低減させる。
【００１２】
更なる望ましい実施例では、符号化／復号化は、符号化／復号化テーブルを用いて行われる。
【００１３】
本発明の上述及び他の面は、以下説明する実施例を参照することにより明らかとなろう。
【発明を実施するための最良の形態】
【００１４】
図面は、正しい縮尺で描かれたものではない。概して、同一の構成要素は、図中の同様の参照番号によって示される。
【００１５】
図１は、少なくとも１つのホスト（２）と少なくとも１つのゲスト（１）とを有するワイヤレス通信システムの一般的な例を示す図である。ゲスト（１）及びホスト（２）は、ＩＲ信号（５）（矢印で示す）をワイヤレスな媒体を通じて送信及び受信することにより互いに通信する。ゲストは、ＩＲ信号を送信する送信器（３）を有し、ホストは、ＩＲ信号を受信する受信器（４）を有する。ＩＲ信号は変調される。
【００１６】
ワイヤレス伝送路変調を通じてホストとゲストの間で直接リンクを確立する標準ＲＳ−２３２データ形式の信号は、この信号をゲストからホストへ転送するために変調（復調）されうる。しかしながら、この変調されたデータを送信及び受信するときに以下の問題のうちの１つ又はそれ以上が生ずる。
・ＮＲＺデータに対する高帯域幅要求によるノイズ及び干渉に対する影響の受け易さ
・適応スライス参照を用いたデータスライシングの際の誤りによるデータビット誤り
・キャリアベースのＩＲ受信器上のＡＧＣ同調による感度の低下
・赤外線送信器段における高い電力消費
ＲＳ−２３２標準は、２つの論理レベルを定義する。
・論理「０」は「スペース」と称され、３．３乃至１５Ｖの電圧レベルを有する。
・論理「１」は「マーク」と称され、−３．３乃至−１５Ｖの電圧レベルを有する。
【００１７】
バイトは、矩形パルスのシーケンスであると理解されえ、パルスの最小持続時間Ｔminは連続するスペースの最少の数にビットの標準持続時間を掛け合わせたものによって表される。これは、１ビット時間に等しい。連続するスペース（その後に１つのマークが続く）の最大数は、最大パルス持続時間Ｔmaxを表す。この最大持続時間Ｔmaxは、ＲＳ−２３２標準（ストップ−スタートビットの遷移は常にスペース−マークである）によれば１０ビット時間に等しい。
【００１８】
このような信号をワイヤレスリンクを通じて変調及び復調することは、ワイヤレスリンクがＴmin乃至Ｔmaxの範囲の持続時間を有するパルスを搬送するため、復調される信号は１／Ｔmax乃至１／Ｔminまでの帯域幅を必要とすることを意味する。この高い帯域幅の要件は、ワイヤレスリンクを内側帯域ノイズ及び干渉に対して影響を受けやすいものとする。必要とされる帯域幅を減少させることは、この問題を低減させる。本発明によるシステムでは、連続するスペースの最大数が減少され、従ってＴmaxが減少され、必要とされる帯域幅は減少される。望ましい実施例では、連続するスペースの最大及び最少の数は同じであり、即ち１であり、必要とされる帯域幅はかなり減少される。この利点は、全てのシステムに対して成り立つ。
【００１９】
受信器においてデータスライシング回路が用いられる場合は、更なる利点が得られる。多くの受信器は、復調された出力信号を正しいディジタル信号レベルへパルス整形するために適応スライス基準とともにデータスライシング回路を用いる。適応スライス基準は、スライシングレベル時定数ｔsliceで設定される。最も有効なスライシングレベル時定数は、３つの極端な場合の間の兼ね合い（トレードオフ）で決まる。
・最大数の連続するスペースに１つのマークが続く
・１つのスペースに最大数のマークが続く
・１つのスペースに１つのマークが続く。
【００２０】
本発明によるシステムでは、極値は互いに更に近く、これはよりよいトレードオフを可能とし、従って、時間遅延及びビット誤りの低下を可能とする。
【００２１】
ＡＧＣ同調がキャリアベースのＩＲ受信器上で行われるとき、更なる利点が得られる。
【００２２】
多くのキャリアベースのＩＲ受信器は、ＡＧＣ（自動利得制御）機能を内部に有する。このＡＧＣは、ＩＲ受信器をＤＣ光源からのノイズに感受性がないが短い持続時間のパルスには感受性があるものとするよう、時定数ｔAGCを高い値に設定している。この時定数ｔAGCは、Ｔmaxよりも大きくなくてはならず、なぜならば、さもなければ本物の信号が受信されないからである。本発明によるシステムではＴmaxが低くされるため、ノイズが減少されうる。
【００２３】
図２は、図１のワイヤレス通信システムのゲスト（２１）を示す図である。ゲストは、送信器（２３）、データを発生する発生器（２６）、及び、データを符号化し、符号化されたデータを内部ＲＳ２３２ポート（２８）へ送信する符号化ソフトウエア機能（２７）を有し、符号化された信号は、搬送周波数発生器（２９）によって搬送周波数が与えられている変調器（３０）内で変調される。符号化及び変調された信号（２５）は、受信器（２４）を有するホスト（２２）へ送信され、受信器（２４）は符号化及び変調された信号を復調器（３１）へ送信する。受信器は、この例ではＡＧＣ（自動利得制御）回路を有する。復調後、信号は適応スライス基準回路によって任意のパルス整形された後に内部ＲＳ２３２ポート（３２）を通って転送され、復号化機能（３５）を有する主プロセッサ（３４）内で主プロセッサ（３４）によって復号化される。復号化機能は、符号化されたデータを復号化する回路又はプログラム（の部分）等の任意のハードウエア又はソフトウエアでありうる。望ましい実施例では、ＲＳ２３２ポートは、ＲＳ２３２バッファ回路（３３）を具備する。これは、高速であること、又は、代わりに及び／又は部分的に共通的に主プロセッサの時間応答が低められ得る可能性という更なる利点を与える。
【００２４】
可能な符号化／復号化スキームを、以下の表１に示し、表１において、元の信号の４ビットのシーケンスは８ビットに符号化され、ここで、１はマークを表わし、０はスペースを表わす。ゲスト内の符号化回路と主プロセッサ内の復号化器はいずれも、この表によれば、符号化されていないデータを符号化された（マンチェスター二相）データへ変換し、及び、その逆を行う手段を含む。
【００２５】
【表１】
2005504485.tif 000003
元の信号中の連続するスペース（ゼロ）の最大数が４つであり、従ってｔmaxはビット時間の４倍であるのに対して、符号化された信号中の連続する最大の数は２つであり、従ってｔmaxはビット時間の２倍であることがわかる。更に、上記の実施例の場合は、送信される各バイト（＝各８ビットの２つの符号化された信号）について、連続するゼロの最大数は８から２へ減少される。復調された信号の帯域幅は、ｔmaxの減少によりかなり減少されえ、従って内側帯域雑音及び干渉に対する影響の受け易さを減少させることができる。ゲストの内部ＲＳ−２３２ポートを通じて送信される前に符号化されており、その後、信号が変調されている信号自体は、復調器によって受信され復調された後にホストの主プロセッサの内部ＲＳ−２３２ＵＡＲＴを通じて直接送信されうる。Ｔmaxが減少されるため、ＴAGCは減少されえ、信号対雑音比が改善される。Ｔmaxが（比率Ｔmax／Ｔminと同様）減少されるため、データスライシングによる誤りは減少されうる。
【００２６】
以下の表２に、本発明による符号化スキームの更なる例を示す。
【００２７】
【表２】
2005504485.tif 000004
元の信号中の連続するスペース（ゼロ）の最大数は４つであり、従ってｔmaxはビット時間の４倍であり、符号化された信号中の連続するスペースの最大数は１つであり、従ってｔmaxは１ビット時間であることがわかる。尚、このスキームでは、８ビット符号化データの最後のビットは常にマーク（１）である。従って２つの８ビットデータが送信されるとき、連続するスペースの最大は１のままである。帯域幅は、第１の例の場合よりも更に減少されうる。表１に示すスキームに対する表２に示す符号化スキームの利点は、符号化された信号当たりのゼロの平均個数が２つであることである。データの転送中、ゼロはエネルギーを必要とする。表２によるスキームでは、このエネルギーは表１のスキームの場合よりも低く、符号化されていないデータについては平均して同じであるが、符号化されていないデータに対するものよりも一定である。このスキームでは、連続するスペースの最大数も連続するスペースの最小数に等しい。従って、比率Ｔmax／Ｔminはできるかぎり減少される。
【００２８】
上記の各表は、本発明による装置において利用可能な符号化／復号化スキームの例を示す。
【００２９】
図３は、本発明の第２の実施例の例を示す。この実施例では、送信器２３は、マークをスペースへ、スペースをマークへ反転するインバータを有する。同様に、受信器２４は、インバータ３７を有する。第２の実施例では、符号化機能は、連続するマークの最大数が減少されるようなものである。例えば、表１及び表２において、符号化された信号中の全ての１をゼロに、ゼロを１に変化させ、このような符号化スキームの２つの例が得られる。符号化された信号中の連続するマークの最大数は減少され、符号化された信号は反転されたモードで送信されるため、送信される信号中の連続するスペースの最大数は、上述の利点を伴って減少される。信号の反転は、電力消費を減少させるのに有益でありうる。
【００３０】
図示のように、受信器はインバータを有する。各実施例では、この受信器のインバータは、主プロセッサ中の復号化テーブルがゲスト中の符号化テーブルの鏡像である場合は、なくされうる。一方で、かかるシステムは、符号化／復号化テーブルが互いにちょうど等しくはないため、より複雑な符号化／復号化スキームを必要とし、一方、受信器中にインバータを必要としないため、費用を低減させる。
【００３１】
表１は、連続するマークの最大数と連続するスペースの最大数が（４つから２つへ）減少され、表１の例では、両方とも同じ量へ減少される、符号化スキームを示す。このような符号化／復号化スキームは、一般的には、連続するマークの最大数と連続するスペースの最大数のいずれもが減少される全ての符号化スキームは、従って、第１の実施例及び第２の実施例、即ち、ゲストとホストの間の伝送の直前の反転を行う場合又は行わない場合、に適用可能である。
【００３２】
上述の全ての符号化／復号化スキームについて、復号化は、公知のシステムの場合のように更なるマイクロプロセッサを必要とすることなく、主プロセッサ中のホストのＲＳ−２３２ＵＡＲＴの後ろで行われる。マイクロプロセッサを使用しなくともよいという可能性は、費用の面でも、全体の純ビット転送速度の面でも、大きな利点を与える。
【００３３】
概説するに、本発明は以下のようなものである。
【００３４】
ワイヤレス通信システムは、赤外線信号を送信する送信器（３，２３）を有するゲスト（２）と、赤外線信号（５，２５）を受信するホスト受信器（４，２４）とを有し、ゲスト及びホストはいずれも内部ＲＳ−２３２ポート（２８，３２）を有する。ゲストは、データを発生するデータ発生器（２６）と、当該データを変調しゲスト送信器（２３）へ転送する変調器（３０）とを有する。ホストは、ホスト受信器によって受信されるＩＲ信号を復調する復調器（３１）を有する。ゲスト（２，２１）は、送信された信号中の連続するスペースの最大数を減少させるよう、標準ＲＳ−２３２形式でデータ発生器によって発生されたデータを符号化する符号化回路（２７）を有する。ホストの変調器は、変調されたＩＲ信号を復調するようホスト受信器及びホストの内部ＲＳ−２３２ポートに接続され、ホスト内部ＲＳ−２３２ポートに接続された主プロセッサ（３４）は、例えば望ましくはルックアップテーブルによって、データを復号化するのに用いられる。望ましくは、符号化機能はホスト中にあり、復号化のための追加的なマイクロプロエッサを必要とせず、また有さない。
【図面の簡単な説明】
【００３５】
【図１】ワイヤレス通信システムを示す図である。
【図２】本発明の第１の実施例によるワイヤレス通信のゲスト及びホストを示す図である。
【図３】本発明の第２の実施例によるワイヤレス通信のゲスト及びホストを示す図である。
【国際公開パンフレット】
2005504485.tif 000005
2005504485.tif 000006
2005504485.tif 000007
2005504485.tif 000008
2005504485.tif 000009
2005504485.tif 000010
2005504485.tif 000011
2005504485.tif 000012
2005504485.tif 000013
2005504485.tif 000014
2005504485.tif 000015
2005504485.tif 000016
2005504485.tif 000017
2005504485.tif 000018
2005504485.tif 000019
2005504485.tif 000020
2005504485.tif 000021
【国際調査報告】
2005504485.tif 000022
2005504485.tif 000023
2005504485.tif 000024